(57)【要約】【課題】  被処理物の当初の含水量に拘わらず、安定して処理を行うことができる処理装置を提供すること。【解決手段】  混練槽１内に投入する生ゴミの量と、この生ゴミの含水量とを、制御装置３０の液晶パネル３１を介して入力する。制御装置３０のＣＰＵ３２は、生ゴミの量と含水量とに基づいて、混練槽１に供給すべき水、処理液および土の量を算出する。水供給管１２と処理液供給管１３を介して、所定量の水と処理液を混練槽１内に供給する。ＣＰＵ３２は、生ゴミ、水、処理液および土の量に基づいて、この生ゴミ等の混合を継続する時間を算出し、この時間に亘って混練羽根１５による混合を行う。生ゴミに対して適切量の水、処理液および土を加えて、適切な時間に亘って混合を行うことができるので、適切な流動性の混合物が得ることができ、また、生ゴミ成分の分解を効率良く行うことができる。【選択図】図１
2005254131.tif 000002
【特許請求の範囲】
【請求項１】
被処理物を受け入れる第１の槽と、
上記被処理物の量を定める被処理物量特定手段と、
上記被処理物の含水量を定める含水量特定手段と、
上記被処理物量特定手段で定められた被処理物の量と、上記含水量特定手段で定められた上記被処理物の含水量とに基づいて、上記被処理物に加えるべき水の量と、上記被処理物に加えるべき処理液であって上記被処理物を化学的に分解処理する処理液の量とを定める水処理液量特定手段と、
上記水処理液量特定手段で定められた量の水と処理液を、上記第１の槽内に供給する水処理液供給手段と
を備えることを特徴とする処理装置。
【請求項２】
請求項１に記載の処理装置において、
上記被処理物量特定手段で定められた上記被処理物の量と、上記含水量特定手段で定められた上記被処理物の含水量とに基づいて、上記被処理物に加えるべき土の量を定める土量特定手段を備えることを特徴とする処理装置。
【請求項３】
請求項２に記載の処理装置において、
上記被処理物、水、処理液および土の各々の量に基づいて、上記被処理物、水、処理液および土の混合を行うべき時間を定める時間特定手段と、
上記第１の槽内に設けられて、上記被処理物、水、処理液および土を混合する混合手段と、
上記混合手段を、上記時間特定手段で定められた時間に亘って駆動する駆動制御手段と
を備えることを特徴とする処理装置。
【請求項４】
請求項２または３に記載の処理装置において、
上記第１の槽から、上記被処理物、水、処理液、および土が混合された混合物を受け入れる第２の槽と、
上記第２の槽内に設けられ、上記混合物を攪拌すると共に、上記混合物を第２の槽の一方から他方に向かって移動させる攪拌手段と
を備えることを特徴とする処理装置。
【請求項５】
被処理物の量を定めるステップと、
上記被処理物の含水量を定めるステップと、
上記被処理物の量と含水量とに基づいて、上記被処理物に加えるべき水の量と、上記被処理物に加えるべき処理液であって上記被処理物を化学的に分解処理する処理液の量とを定めるステップと
を有することを特徴とする処理装置の制御方法。
【発明の詳細な説明】
【技術分野】
【０００１】
本発明は、例えば生ゴミ等の被処理物を処理する処理装置および処理装置の制御方法に関する。
【背景技術】
【０００２】
従来、この種の処理装置としては、生ゴミをバクテリア等の微生物で発酵させて分解して処理を行う有機式の処理装置がある。
【０００３】
しかしながら、上記有機式の処理装置は、上記生ゴミを発酵によって分解するので、上記生ゴミを仮処理した後の２次処理を必要とし、完全に処理するためには数十日といった長時間が必要になる。したがって、上記有機式の処理装置は、比較的大量の生ゴミを処理しようとすると、処理場所等が大型化するという問題がある。
【０００４】
また、上記有機式の処理装置は、上記生ゴミを発酵によって分解する際に、例えばアンモニアや硫化水素等の悪臭ガスが発生するので、このような悪臭ガスを除去する装置が必要になって、製造コストが上昇するという問題がある。
【０００５】
そこで、従来、微生物に替えて化学薬品を用いて生ゴミを分解する無機式の処理装置が提案されている（例えば特開平２００２−１４３８０３号公報：特許文献１）。
【０００６】
上記従来の無機式の処理装置は、生ゴミを受け入れ、この生ゴミを粉砕する粉砕装置と、この粉砕装置で粉砕された粉砕生ゴミと共に、土砂、化学処理液および水を受け入れる攪拌槽とを有する。この攪拌槽の内側には、シャフト周りに旋回駆動される複数の攪拌羽根が設けられており、この攪拌羽根で上記粉砕生ゴミおよび土砂等の混合物を攪拌して、この混合物の生ゴミ成分の分解を促進するようにしている。
【０００７】
上記従来の無機式の処理装置は、上記攪拌槽内で、上記粉砕生ゴミ等の混合物に散水や加熱を行って、この混合物の含水量を調節するようにしている。しかしながら、上記攪拌槽は密閉されているので、この攪拌槽内の混合物の含水量を確認することは困難である。つまり、上記混合物に散水または加熱を適切に行って、この混合物が適切な含水量になるように調節することは困難である。したがって、上記混合物の含水量は生ゴミの当初の含水量の影響を受けるので、この生ゴミの含水量のバラツキによって上記混合物の含水量にバラツキが生じて、安定した処理を行い難いという問題がある。
【特許文献１】特開平２００２−１４３８０３号公報
【発明の開示】
【発明が解決しようとする課題】
【０００８】
そこで、本発明の課題は、被処理物の当初の含水量に合わせて、安定して処理を行うことができる処理装置を提供することにある。
【課題を解決するための手段】
【０００９】
上記課題を解決するため、本発明の処理装置は、
被処理物を受け入れる第１の槽と、
上記被処理物の量を定める被処理物量特定手段と、
上記被処理物の含水量を定める含水量特定手段と、
上記被処理物量特定手段で定められた被処理物の量と、上記含水量特定手段で定められた上記被処理物の含水量とに基づいて、上記被処理物に加えるべき水の量と、上記被処理物に加えるべき処理液であって上記被処理物を化学的に分解処理する処理液の量とを定める水処理液量特定手段と、
上記水処理液量特定手段で定められた量の水と処理液を、上記第１の槽内に供給する水処理液供給手段と
を備えることを特徴としている。
【００１０】
上記構成によれば、上記第１の槽に受け入れられる被処理物について、この被処理物の量が上記被処理物量特定手段によって定められ、含水量が上記含水量特定手段によって定められる。上記被処理物の量と含水量とに基づいて、上記水処理液量特定手段によって、上記被処理物に加えるべき水の量と処理液の量とが定められる。上記処理液は、上記被処理物を化学的に分解処理する処理液である。上記水処理液量特定手段で定められた量の水と処理液が、上記水処理液供給手段によって、上記第１の槽内に供給される。この第１の槽内の上記被処理物等を混合することによって、上記被処理物の当初の含水量に合わせて、適切な量の水を含んだ混合物を得ることができる。したがって、混合物に含まれる水の量が過小であることに起因して処理装置に負担がかかる問題や、上記混合物に含まれる水の量が過大であることに起因して被処理物の処理の効率が低下する問題を、効果的に防止することができる。その結果、被処理物の処理を安定した効率で行うことができる処理装置が得られる。
【００１１】
なお、上記「化学的に分解処理する」とは、例えばバクテリアによる分解のような生物的反応を用いることなく、例えば加水分解等の化学的反応によって分解することをいう。
【００１２】
また、上記水処理液量特定手段で定められる水の量は、上記被処理物の含水量によっては零であってもよい。
【００１３】
一実施形態の処理装置は、上記被処理物量特定手段で定められた上記被処理物の量と、上記含水量特定手段で定められた上記被処理物の含水量とに基づいて、上記被処理物に加えるべき土の量を定める土量特定手段を備える。
【００１４】
上記実施形態によれば、上記被処理物量特定手段で定められた上記被処理物の量と、上記含水量特定手段で定められた上記被処理物の含水量とに基づいて、上記土量特定手段によって、上記被処理物に加えるべき土の量が定められる。この土量特定手段で定められた量の土と、被処理物等とを混合することによって、上記被処理物の量に拘わらず、また、上記被処理物の当初の含水量に拘わらず、安定して適量の水および土を含んだ混合物を得ることができる。したがって、混合物に含まれる水の量が被処理物や土の量に対して過小であることに起因して、上記第１の槽から混合物が排出され難くなる等の問題を、防止することができる。また、上記混合物に含まれる水の量が被処理物や土の量に対して過大であることに起因して、被処理物が乾燥し難くなる等の問題を、防止することができる。その結果、被処理物の処理を安定した効率で行うことができる処理装置が得られる。
【００１５】
なお、上記土の材料および粒径は、上記被処理物の特性に応じて適宜選択することができる。
【００１６】
一実施形態の処理装置は、上記被処理物、水、処理液および土の各々の量に基づいて、上記被処理物、水、処理液および土の混合を行うべき時間を定める時間特定手段と、
上記第１の槽内に設けられて、上記被処理物、水、処理液および土を混合する混合手段と、
上記混合手段を、上記時間特定手段で定められた時間に亘って駆動する駆動制御手段とを備える。
【００１７】
上記実施形態によれば、上記被処理物、水、処理液および土の各々の量に基づいて、上記時間特定手段によって、上記被処理物、水、処理液および土の混合を行うべき時間が定められる。上記第１の槽内に設けられた混合手段によって、上記被処理物等が混合される。この混合手段は、上記駆動制御手段によって、上記時間特定手段で定められた時間に亘って駆動される。これにより、上記被処理物、水、処理液および土が混合されてなる土混合物が、適切な流動性や含水量を有するように調節される。
【００１８】
一実施形態の処理装置は、上記第１の槽から、上記被処理物、水、処理液、および土が混合された混合物を受け入れる第２の槽と、
上記第２の槽内に設けられ、上記混合物を攪拌すると共に、上記混合物を第２の槽の一方から他方に向かって移動させる攪拌手段とを備える。
【００１９】
上記実施形態によれば、上記第２の槽は、上記第１の槽から、上記被処理物、水、処理液、および土が混合された混合物を受け入れる。この第２の槽において、上記攪拌手段によって、上記混合物が攪拌されると共に、上記混合物が第２の槽の一方から他方に向かって移動される。上記第２の槽の寸法と、上記攪拌手段による混合物の移動速度を調節することにより、上記混合物が適切な期間に渡って攪拌されて、この混合物の被処理物が適切に分解される。また、上記混合物が適切な含水量を有するように調節される。
【００２０】
本発明の処理装置の制御方法は、
被処理物の量を定めるステップと、
上記被処理物の含水量を定めるステップと、
上記被処理物の量と含水量とに基づいて、上記被処理物に加えるべき水の量と、上記被処理物に加えるべき処理液であって上記被処理物を化学的に分解処理する処理液の量とを定めるステップと
を有することを特徴としている。
【００２１】
上記構成によれば、上記被処理物の量が定められ、また、上記被処理物の含水量が定められる。上記被処理物の量と含水量とに基づいて、上記被処理物に加えるべき水の量と、上記被処理物加えるべき処理液の量とが定められる。上記処理液は、上記被処理物を化学的に分解処理する処理液である。上記定められた量の水および処理液と、上記被処理物とを混合することによって、上記被処理物の当初の含水量に拘わらず、安定して適切な量の水を含んだ混合物を得ることができる。したがって、混合物に含まれる水の量が過小であることに起因して、上記第１の槽から混合物が排出され難くなる等の問題や、上記混合物に含まれる水の量が過大であることに起因して、被処理物が乾燥し難くなる等の問題を、防止することができる。その結果、処理装置による被処理物の処理を、安定した効率で行うことができる。
【００２２】
なお、上記「化学的に分解処理する」とは、例えばバクテリアによる分解のような生物的反応を用いることなく、例えば加水分解等の化学的反応によって分解することをいう。
【００２３】
また、上記被処理物の含水量によっては、この被処理物に加えるべき水の量は零であってもよい。
【発明の効果】
【００２４】
以上のように、本発明の処理装置によれば、被処理物を受け入れる第１の槽と、上記被処理物の量を定める被処理物量特定手段と、上記被処理物の含水量を定める含水量特定手段と、上記被処理物量特定手段で定められた被処理物の量と、上記含水量特定手段で定められた上記被処理物の含水量とに基づいて、上記被処理物に加えるべき水の量と、上記被処理物に加えるべき処理液であって上記被処理物を化学的に分解処理する処理液の量とを定める水処理液量特定手段と、上記水処理液量特定手段で定められた量の水と処理液を、上記第１の槽内に供給する水処理液供給手段とを有するので、上記被処理物と、上記水および処理液とを混合することにより、上記被処理物の当初の含水量に拘わらず、安定して所定量の水を含んだ混合物を得ることができる。その結果、被処理物の処理を安定した効率で行うことができる。
【発明を実施するための最良の形態】
【００２５】
以下、本発明を図示の実施の形態により詳細に説明する。
【００２６】
図１は、本発明の実施形態の処理装置を示した正面概略図である。この処理装置は、被処理物としての生ゴミを処理する処理装置である。
【００２７】
この処理装置は、生ゴミおよび土を受け入れる第１の槽としての混練槽１と、この混練槽１から排出される生ゴミおよび土等の混合物を受け入れる第２の槽としての攪拌槽２とを備える。
【００２８】
上記混練槽１は概略円筒形状を有し、上部に生ゴミおよび土を投入する開口１１を有する。この混練槽１は、水処理液供給手段としての水供給管１２と処理液供給管１３とに接続されている。上記水供給管１２は上水ラインに接続されており、また、上記処理液供給管１３は処理液タンクに接続されている。上記水供給管１２には、水の流量を検知する流量センサと電磁開閉弁１２１とが設けられており、この電磁開閉弁１２１の開閉を制御装置３０で制御するようになっている。上記処理液供給管１３には定量送液ポンプ１３１が設けられており、この定量送液ポンプ１３１の動作を上記制御装置３０で制御するようになっている。
【００２９】
上記処理液供給管１３で混練槽１に供給する処理液は、上記生ゴミを生物的に分解するバクテリア含有の処理液ではなく、化学的に分解処理する処理液である。このような処理液として、例えば、硫酸第一鉄と硫酸マグネシウムとの混合液を用いることができる。
【００３０】
上記混練槽１は、上記開口１１から投入される生ゴミおよび土と、上記水供給管１２から供給される水と、上記処理液供給管１３から供給される処理液とを混合する混合手段としての混練羽根１５を備える。この混練羽根は、上記混練槽１と略同軸に配置されると共に、この混練槽１の底から混練槽１の略半分の深さまで突出する駆動軸を有する。この駆動軸の突出端に、径方向に延びる横部が連結されており、この横部の両端に、混練槽１の径方向外側かつ底側に向かって斜めに延びる斜部が夫々連なっている。この斜部の下端には、混練槽１の底面と略平行をなすと共に、この混練槽１の底面に近接する平行部が連結されている。上記混練羽根１５は、上記駆動軸が混練槽１の下方に配置されたモータ１６の回転軸に連結されており、このモータ１６で回転駆動される。上記モータ１６は、上記制御装置３０によって供給電力を制御するようになっている。
【００３１】
上記混練槽１は、底面の一端に、この混練槽１内で混練された生ゴミ、土、水および処理液の混合物を排出する排出口１８を備える。この排出口１８は、図示しない開閉装置を備え、この開閉装置の動作を上記制御装置３０で制御するようにしている。
【００３２】
上記攪拌槽２は、横長の概略円柱形状を有し、長手方向の一端部分の頂部に、上記混練槽１の排出口１８から排出された混合物を受け取る受取口２１を有する。この攪拌槽２の長手方向の他端部分の側板に、この攪拌槽内で攪拌された混合物を排出する排出管２２を有する。
【００３３】
上記攪拌槽２内には、上記混合物を攪拌する攪拌手段としての攪拌羽根２４が設けられている。この攪拌羽根２４は、上記攪拌槽２の長手方向に延びる駆動軸と、この駆動軸の径方向に延びる複数の羽根部とを有する。上記駆動軸の一端に、減速ギヤ付きモータ２５の回転力を伝達して、このモータ２５で攪拌羽根２４を旋回駆動するようにしている。上記モータ２５への供給電力は、上記制御装置３０で制御するようになっている。また、上記攪拌槽２の他端部分の頂部に、この攪拌槽２の内部に高温の空気を供給する熱風装置２７を備えると共に、上記攪拌槽２の一端部分の頂部に、この攪拌槽２の内部の空気を排出する排気装置２８を備える。また、上記攪拌槽２の底部に、この攪拌槽２内の温度を上昇させるためのヒータ２９を備える。上記熱風装置２７による空気の供給量および空気の温度や、上記排気装置２８による排気量や、上記ヒータ２９による加熱温度は、上記制御装置３０で制御する。
【００３４】
図２は、上記制御装置３０の概略構成を示すブロック図であり、この制御装置３０は、表示部にタッチセンサを有する液晶パネル３１と、ＣＰＵ（中央演算装置）３２と、メモリ３３とを有する。上記液晶パネル３１は、上記混練槽１に投入する生ゴミ等に関する情報や、この処理装置の動作条件等に関する入力を操作者から受けると共に、上記入力された情報等や処理装置の動作状況を表示するようになっている。上記ＣＰＵ３２は、上記液晶パネル３１に入力された情報等に基づいて、上記メモリ３３に格納されたプログラムを実行して、この処理装置を制御するようになっている。また、上記メモリ３３は、上記ＣＰＵ３２によって所定の情報が読み書き可能になっている。
【００３５】
上記構成の処理装置は、以下のように動作する。
【００３６】
まず、操作者は、上記混練槽１に、処理すべき生ゴミを投入すると共に、制御装置３０の液晶パネル３１を介して、上記生ゴミに関する情報を入力する。図３は、上記液晶パネル３１によって表示される画面の一例を示す図である。この画面において、操作者が「含水率」領域に触れると、数値入力を行うためのテンキーが表示される。操作者は、処理を行う生ゴミの含水率の概略値を、上記テンキーを介して入力する。この入力された生ゴミの含水率の値は上記メモリ３３に格納される。また、操作者が上記画面の「処理質量」領域に触れるとテンキーが表示され、このテンキーを介して、上記処理を行う生ゴミの質量の概略値を入力する。この入力された生ゴミの質量の値は上記メモリ３３に格納される。以上のようにして、被処理物としての生ゴミの量と、この生ゴミの含水量とが定められる。
【００３７】
なお、上記混練槽１に質量センサを設け、上記混練槽１に投入された生ゴミの質量を上記質量センサで検出することにより、この生ゴミの量を定めてもよい。また、上記混練槽１に含水率センサを設け、上記混練槽１に投入された生ゴミの含水率を上記含水率センサで検出することにより、この生ゴミの含水量を定めてもよい。
【００３８】
上記液晶パネル３１を介して入力された生ゴミの質量と、この生ゴミの含水率とに基づいて、上記ＣＰＵ３２は、上記生ゴミに加えるべき水、処理液および土の量を算出する。上記処理液および土の量は、上記生ゴミの含水率が８０％である場合を基準にして、演算を行う。
【００３９】
例えば、上記生ゴミの含水率が３０％である場合、この生ゴミに加えるべき水の量は、上記生ゴミの含水率を８０％にするために必要な量である。なお、上記混練槽１に投入された生ゴミの含水率が当初から８０％である場合は、この生ゴミに加えるべき水の量は１０％としている。
【００４０】
上記生ゴミに加えるべき処理液の量は、含水率が８０％である場合の生ゴミの質量の約３％の質量とする。また、上記生ゴミに加えるべき土の量は、含水率が８０％である場合の生ゴミの質量の略半分の質量とする。なお、上記生ゴミがなすべき含水率や、上記生ゴミの量に対する処理液の量の割合や、上記生ゴミの量に対する土の量の割合は、生ゴミの組成や土の特性に応じて適宜変更してもよい。
【００４１】
上記ＣＰＵ３２は、算出した上記加えるべき水の量と、上記加えるべき処理液の量とを、メモリ３３に格納する。また、上記加えるべき水の量、処理液の量および土の量の夫々の値を、上記液晶パネル３１に表示する。
【００４２】
上記液晶パネル３１に土の量の値が表示されると、この表示を視認した操作者は、上記量の土を混練槽１に投入する。なお、加えるべき土を予め収容する土収容器と、この土収容器から上記混練槽１に土を移動させて、この土を混練槽１に投入する土投入手段とを設け、上記制御装置３０による制御の下、算出された量の土を上記土投入手段によって混連槽１に投入するようにしてもよい。
【００４３】
さらに、上記ＣＰＵ３２は、上記生ゴミの質量と、算出した上記水、処理液および土の量とに基づいて、これらの混合を行うべき時間を算出する。つまり、上記ＣＰＵ３２は、時間特定手段として機能する。算出された時間の値は、メモリ３３に格納される。
【００４４】
続いて、上記ＣＰＵ３２は、上記水供給管１２の電磁開閉弁１２１を閉から開に切り換えて、上記混練槽１に水を供給する。上記ＣＰＵ３２は、この水供給管１２の流量センサからの信号に基づいて検知した水の供給量が、上記メモリ３３に格納された上記加えるべき水の量に達すると、上記電磁開閉弁１２１を開から閉に切り換えて、水の供給を停止する。
【００４５】
また、上記ＣＰＵ３２は、上記処理液供給管１３の定量送液ポンプ１３１を起動して、図示しない処理液タンクから上記混練槽１への処理液の供給を開始する。上記ＣＰＵ３２は、上記定量送液ポンプ１３１の駆動時間を計時し、この駆動時間に基づいて検知した処理液の供給量が、上記メモリ３３に格納された上記加えるべき処理液の量に達すると、上記定量送液ポンプ１３１を停止して、処理液の供給を停止する。
【００４６】
続いて、上記ＣＰＵ３２は、上記モータ１６に所定の駆動電力を供給し、このモータ１６による混練羽根１５の回転駆動を開始し、これと共に、タイマによる計時を開始する。上記タイマの計時時間が、上記メモリ３３に格納された時間に達すると、上記ＣＰＵ３２はモータ１６への電力供給を停止して、上記混練羽根１５の動作を停止する。つまり、上記ＣＰＵ３２は、駆動制御手段として機能する。これにより、上記混練槽１内の生ゴミ等の混合物は、適切な流動性を有するペースト状となる。
【００４７】
なお、上記混練槽１にｐＨセンサを設け、このｐＨセンサで検出した混合物の酸性度に基づいて、上記混合物の混練を終了する時期を判断してもよい。
【００４８】
この後、上記ＣＰＵ３２は、上記混練槽１の排出口１８の開閉装置を操作して、この排出口１８を閉から開に切り換える。これにより、上記混練槽１内のペースト状の混合物が、受取口２１を介して攪拌槽２内に投入される。このとき、上記混練槽１内の混合物は、適切な流動性を有するので、上記混練槽１内に残留することなく、大部分が速やかに攪拌槽２内に流入する。
【００４９】
上記攪拌槽２では、上記ＣＰＵ３２の制御の下、モータ２５に所定の電力が供給されて、このモータ２５によって攪拌羽根２４が旋回駆動される。この攪拌槽２に投入された上記ペースト状の混合物は、上記攪拌羽根２４の旋回動作によって、上記受取口２１が位置する攪拌槽２の一端部分から他端部分に向かって移動する。ここで、上記攪拌槽２内には、熱風装置２７によって高温の空気が供給されており、この高温空気は、上記熱風装置２７が位置する攪拌槽２の他端部分から、排気装置２８が位置する一端部分に向かって流れる。また、上記攪拌槽２内の温度を、上記熱風装置２７からの空気の温度およびヒータ２９の温度を調節して、約５０℃程度に保っている。これにより、上記混合物の生ゴミ成分の分解と、上記混合物の乾燥を促進している。上記混合物は、上記攪拌羽根２４によって攪拌槽２の一端部分から他端部分に向かって移動する間に、生ゴミ成分が分解され、この分解されてなる栄養成分が土に吸着される。また、上記混合物に含まれる水分のうちの所定割合の水分が蒸発する。こうして、上記ペースト状の混合物は、分解と乾燥が進行して粘土状になった後、乾燥状態の処理生成物となり、上記攪拌槽２の他端部分に位置する排出管２２から排出される。この排出管２２から排出される処理生成物は、上記攪拌羽根２４による攪拌と、上記熱風装置２７およびヒータ２９による加熱により、適切な含水量および粒径を有するように形成される。
【００５０】
上記排出管２２から排出された処理生成物は、例えば植物の栄養土として利用が可能である。一般に、バクテリアによって生物的に分解して得られた処理生成物を栄養土として利用する場合、処理直後の処理生成物を土壌に混ぜると、バクテリア等の分解菌が未だ生きているので、土壌菌に影響を与えてしまう。したがって、数ヶ月の熟成期間が必要となる。これに対して、本発明の処理装置による処理生成物は、バクテリア等を用いないので、そのような熟成期間が不要である。したがって、本発明によれば、少ない手間で効率良く利用可能な処理生成物を得ることができる。
【００５１】
上記処理装置によれば、上記混練槽１において、処理すべき生ゴミの量に応じた水、処理液および土を混合し、これらの量に応じた時間に亘って混合を行うので、上記攪拌槽２において、上記生ゴミを高効率かつ確実に分解することができる。また、上記混練槽１で混合された混合物を、適切な含水量にできるので、この混練槽１から攪拌槽２に移す際に、混合物の含水量が過小であることに起因して混練槽１に多くの部分が残量するという不都合を防止できる。また、含水量が過大であることに起因して乾燥が不足するという不都合を防止できる。また、生ゴミが分解されてなる分解生成物を、上記適量の土によって効率よく吸着することができる。
【００５２】
上記実施形態において、生ゴミは操作者が混練槽１に投入したが、上記混練槽１に生ゴミを自動的に投入する生ゴミ投入手段を設けてもよい。また、上記混練槽１に土を投入する土投入手段を設けた場合、この土投入手段が生ゴミ投入手段を兼ねてもよい。
【００５３】
また、上記処理装置で処理を行う被処理物は、生ゴミに限られず、産業廃棄物等の他の被処理物であってもよい。上記被処理物の特性に応じて、被処理物がなすべき含水率や、被処理物の量に対する処理液の量の割合や、被処理物の量に対する土の割合を変更することにより、多種類の被処理物を処理することができる。
【図面の簡単な説明】
【００５４】
【図１】本発明の実施形態の処理装置を示した正面概略図である。
【図２】制御装置の概略構成を示すブロック図である。
【図３】制御装置の液晶パネルに表示される画面の一例を示す図である。
【符号の説明】
【００５５】
１  混練槽
２  攪拌槽
１２  水供給管
１３  処理液供給管
１５  混練槽の混練羽根
１６  混練羽根の駆動モータ
１８  排出口
２１  受取口
２２  排出管
２４  攪拌槽の攪拌羽根
２５  攪拌羽根の駆動モータ
２７  熱風装置
２８  排気装置
２９  ヒータ
３０  制御装置
３１  液晶パネル
３２  ＣＰＵ
３３  メモリ
１２１  水供給管の電磁開閉弁
１３１  定量送液ポンプ
【図１】
2005254131.tif 000003
【図２】
2005254131.tif 000004
【図３】
2005254131.tif 000005